(57)【要約】【課題】制御装置の負荷を軽減することが可能な放電灯点灯装置、プロジェクター、及び放電灯の駆動方法を提供する。【解決手段】ユーザーによりオン操作がなされて、プロジェクター１が電源オン状態に移行すると、制御装置２０は、第１の点灯装置２６ａに制御信号を出力し、マスター装置として動作するように指示（設定）をする。マスター装置とは、他の点灯装置２６の動作を制御装置２０に代わって制御するものであり、第１の点灯装置２６ａは、この指示に応じて、マスター装置としての動作を開始する。なお、後述するように、マスター装置以外の点灯装置２６は、スレーブ装置に設定され、マスター装置の制御に基づいて動作する。制御回路３４のメモリーには、マスター装置用の制御プログラムと、スレーブ装置用の制御プログラムの双方が予め記憶されており、制御回路３４は、設定情報に応じた制御プログラムに従って動作する。【選択図】図１
2011090872.tif 000002
【特許請求の範囲】
【請求項１】
放電灯を点灯させる放電灯点灯装置であって、
前記放電灯を駆動して点灯させる点灯駆動部と、
他の放電灯点灯装置と通信を行う通信部と、
マスター及びスレーブのいずれかに設定される動作設定部と、
前記点灯駆動部の動作を制御する制御部と、
を備え、
前記制御部は、前記動作設定部が前記マスターに設定されている場合には、前記動作設定部が前記スレーブに設定されている他の放電灯点灯装置の動作を、前記通信部を介して制御することを特徴とする放電灯点灯装置。
【請求項２】
請求項１に記載の放電灯点灯装置であって、
前記制御部は、前記動作設定部が前記スレーブに設定されている場合には、前記マスターに設定されている他の放電灯点灯装置の制御に基づいて、前記点灯駆動部に前記放電灯を点灯させることを特徴とする放電灯点灯装置。
【請求項３】
請求項１又は２に記載の放電灯点灯装置であって、
前記放電灯の点灯状態を検知する点灯状態検知部をさらに備え、
前記制御部は、前記動作設定部が前記スレーブに設定されている場合には、前記マスターに設定されている他の放電灯点灯装置に対して、前記点灯状態検知部の検知結果を出力することを特徴とする放電灯点灯装置。
【請求項４】
請求項３に記載の放電灯点灯装置であって、
前記制御部は、前記動作設定部が前記マスターに設定されている場合には、前記スレーブに設定されている他の放電灯点灯装置から前記点灯状態検知部の検知結果を取得し、当該検知結果に基づいて前記スレーブに設定されている他の放電灯点灯装置の動作を制御することを特徴とする放電灯点灯装置。
【請求項５】
複数の放電灯と、
前記複数の放電灯から射出された光を変調して投写する画像投写部と、
前記複数の放電灯をそれぞれ駆動して点灯させる複数の放電灯点灯装置と、
を備え、
前記複数の放電灯点灯装置は、それぞれマスター及びスレーブのいずれかに設定され、
前記マスターに設定された放電灯点灯装置は、前記スレーブに設定された放電灯点灯装置の動作を制御することを特徴とするプロジェクター。
【請求項６】
請求項５に記載のプロジェクターであって、
前記複数の放電灯点灯装置の各々は、
前記放電灯を駆動して点灯させる点灯駆動部と、
他の放電灯点灯装置と通信を行う通信部と、
前記マスター及び前記スレーブのいずれかに設定される動作設定部と、
前記点灯駆動部の動作を制御する制御部と、
を備え、
前記制御部は、前記動作設定部が前記マスターに設定されている場合には、前記動作設定部が前記スレーブに設定されている放電灯点灯装置の動作を、前記通信部を介して制御することを特徴とするプロジェクター。
【請求項７】
請求項５又は６に記載のプロジェクターであって、
前記複数の放電灯点灯装置の各々は、前記放電灯の点灯状態を検知する点灯状態検知部を備え、
前記マスターに設定された放電灯点灯装置は、前記スレーブに設定された放電灯点灯装置から前記点灯状態検知部の検知結果を取得し、当該検知結果に基づいて、前記スレーブに設定された放電灯点灯装置の動作を制御することを特徴とするプロジェクター。
【請求項８】
請求項７に記載のプロジェクターであって、
前記複数の放電灯点灯装置は、前記マスターに設定された第１の放電灯点灯装置と、前記スレーブに設定された第２及び第３の放電灯点灯装置とを含み、
前記第１の放電灯点灯装置は、前記第２の放電灯点灯装置に前記放電灯の点灯を行わせた後、前記第２の放電灯点灯装置から前記点灯状態検知部の検知結果を取得し、当該検知結果が、前記放電灯が点灯していないことを示す場合には、前記第３の放電灯点灯装置に前記放電灯の点灯を行わせることを特徴とするプロジェクター。
【請求項９】
マスター及びスレーブのいずれかに設定された複数の放電灯点灯装置で複数の放電灯を点灯させる放電灯の駆動方法であって、
前記複数の放電灯点灯装置のうち、前記マスターに設定されている放電灯点灯装置が、前記スレーブに設定されている放電灯点灯装置の動作を制御して、前記放電灯を点灯させることを特徴とする放電灯の駆動方法。
【請求項１０】
請求項９に記載の放電灯の駆動方法であって、
前記複数の放電灯点灯装置のうち、前記マスターに設定されている第１の放電灯点灯装置が、前記スレーブに設定されている第２の放電灯点灯装置に前記放電灯の点灯を指示する第１の指示ステップと、
前記第１の指示ステップにおける指示に応じて、前記第２の放電灯点灯装置が前記放電灯を点灯させる動作を行った後で、前記放電灯の点灯状態を判断する判断ステップと、
前記判断ステップにおいて、前記放電灯が点灯していないと判断された場合に、前記第１の放電灯点灯装置が、前記スレーブに設定されている第３の放電灯点灯装置に前記放電灯の点灯を指示する第２の指示ステップと、
を備えたことを特徴とする放電灯の駆動方法。
【発明の詳細な説明】
【技術分野】
【０００１】
本発明は、放電灯を点灯させる放電灯点灯装置、プロジェクター、及び放電灯の駆動方法に関する。
【背景技術】
【０００２】
複数の放電灯を備えた機器が種々提案されている（例えば、特許文献１参照）。特許文献１に記載のプロジェクターは、画像を生成するための光源として、複数の放電灯を備えており、これら複数の放電灯の点灯を１つの制御装置（制御部）で制御するようになっている。
【先行技術文献】
【特許文献】
【０００３】
【特許文献１】特開２００６−６４８１８号公報
【発明の概要】
【発明が解決しようとする課題】
【０００４】
しかしながら、上記のような構成では、搭載する放電灯の数が多ければ多いほど制御が複雑になり、制御装置に掛かる負荷が増大してしまうという問題を有している。
【課題を解決するための手段】
【０００５】
本発明は、上述の課題の少なくとも一部を解決するためになされたものであり、以下の形態又は適用例として実現することが可能である。
【０００６】
［適用例１］本適用例に係る放電灯点灯装置は、放電灯を点灯させる放電灯点灯装置であって、前記放電灯を駆動して点灯させる点灯駆動部と、他の放電灯点灯装置と通信を行う通信部と、マスター及びスレーブのいずれかに設定される動作設定部と、前記点灯駆動部の動作を制御する制御部と、を備え、前記制御部は、前記動作設定部が前記マスターに設定されている場合には、前記動作設定部が前記スレーブに設定されている他の放電灯点灯装置の動作を、前記通信部を介して制御することを特徴とする。
【０００７】
この放電灯点灯装置によれば、動作設定部がマスターに設定された場合に、制御部は、スレーブに設定された他の放電灯点灯装置の動作を制御する。このため、複数の放電灯点灯装置と、これらの動作を制御する制御装置とを備えた機器において、マスターに設定された放電灯点灯装置が制御装置の動作の一部を代行することになり、制御装置の負荷を軽減することが可能となる。
【０００８】
［適用例２］上記適用例に係る放電灯点灯装置において、前記制御部は、前記動作設定部が前記スレーブに設定されている場合には、前記マスターに設定されている他の放電灯点灯装置の制御に基づいて、前記点灯駆動部に前記放電灯を点灯させるようにしてもよい。
【０００９】
［適用例３］上記適用例に係る放電灯点灯装置において、前記放電灯の点灯状態を検知する点灯状態検知部をさらに備え、前記制御部は、前記動作設定部が前記スレーブに設定されている場合には、前記マスターに設定されている他の放電灯点灯装置に対して、前記点灯状態検知部の検知結果を出力するようにしてもよい。
【００１０】
［適用例４］上記適用例に係る放電灯点灯装置において、前記制御部は、前記動作設定部が前記マスターに設定されている場合には、前記スレーブに設定されている他の放電灯点灯装置から前記点灯状態検知部の検知結果を取得し、当該検知結果に基づいて前記スレーブに設定されている他の放電灯点灯装置の動作を制御するようにしてもよい。
【００１１】
［適用例５］本適用例に係るプロジェクターは、複数の放電灯と、前記複数の放電灯から射出された光を変調して投写する画像投写部と、前記複数の放電灯をそれぞれ駆動して点灯させる複数の放電灯点灯装置と、を備え、前記複数の放電灯点灯装置は、それぞれマスター及びスレーブのいずれかに設定され、前記マスターに設定された放電灯点灯装置は、前記スレーブに設定された放電灯点灯装置の動作を制御することを特徴とする。
【００１２】
このプロジェクターによれば、マスターに設定された放電灯点灯装置が、スレーブに設定された放電灯点灯装置の動作を制御するため、マスターに設定された放電灯点灯装置が外部の制御装置の動作の一部を代行することになり、制御装置の負荷を軽減することが可能となる。
【００１３】
［適用例６］上記適用例に係るプロジェクターにおいて、前記複数の放電灯点灯装置の各々は、前記放電灯を駆動して点灯させる点灯駆動部と、他の放電灯点灯装置と通信を行う通信部と、前記マスター及び前記スレーブのいずれかに設定される動作設定部と、前記点灯駆動部の動作を制御する制御部と、を備え、前記制御部は、前記動作設定部が前記マスターに設定されている場合には、前記動作設定部が前記スレーブに設定されている放電灯点灯装置の動作を、前記通信部を介して制御するようにしてもよい。
【００１４】
［適用例７］上記適用例に係るプロジェクターにおいて、前記複数の放電灯点灯装置の各々は、前記放電灯の点灯状態を検知する点灯状態検知部を備え、前記マスターに設定された放電灯点灯装置は、前記スレーブに設定された放電灯点灯装置から前記点灯状態検知部の検知結果を取得し、当該検知結果に基づいて、前記スレーブに設定された放電灯点灯装置の動作を制御するようにしてもよい。
【００１５】
［適用例８］上記適用例に係るプロジェクターにおいて、前記複数の放電灯点灯装置は、前記マスターに設定された第１の放電灯点灯装置と、前記スレーブに設定された第２及び第３の放電灯点灯装置とを含み、前記第１の放電灯点灯装置は、前記第２の放電灯点灯装置に前記放電灯の点灯を行わせた後、前記第２の放電灯点灯装置から前記点灯状態検知部の検知結果を取得し、当該検知結果が、前記放電灯が点灯していないことを示す場合には、前記第３の放電灯点灯装置に前記放電灯の点灯を行わせることが望ましい。
【００１６】
このプロジェクターによれば、第２の放電灯点灯装置の点灯状態検知部が、放電灯が点灯していないことを検知した場合に、マスターに設定された第１の放電灯点灯装置が、第３の放電灯点灯装置に放電灯の点灯を行わせる。このため、寿命や故障等によって放電灯が点灯しない場合でも、他の放電灯によって補うことが可能となり、プロジェクターの使用を継続することが可能となる。
【００１７】
［適用例９］本適用例に係る放電灯の駆動方法は、マスター及びスレーブのいずれかに設定された複数の放電灯点灯装置で複数の放電灯を点灯させる放電灯の駆動方法であって、前記複数の放電灯点灯装置のうち、前記マスターに設定されている放電灯点灯装置が、前記スレーブに設定されている放電灯点灯装置の動作を制御して、前記放電灯を点灯させることを特徴とする。
【００１８】
この放電灯の駆動方法によれば、マスターに設定された放電灯点灯装置が、スレーブに設定された放電灯点灯装置の動作を制御する。このため、マスターに設定された放電灯点灯装置が制御装置の動作の一部を代行することになり、制御装置の負荷を軽減することが可能となる。
【００１９】
［適用例１０］上記適用例に係る放電灯の駆動方法において、前記複数の放電灯点灯装置のうち、前記マスターに設定されている第１の放電灯点灯装置が、前記スレーブに設定されている第２の放電灯点灯装置に前記放電灯の点灯を指示する第１の指示ステップと、前記第１の指示ステップにおける指示に応じて、前記第２の放電灯点灯装置が前記放電灯を点灯させる動作を行った後で、前記放電灯の点灯状態を判断する判断ステップと、前記判断ステップにおいて、前記放電灯が点灯していないと判断された場合に、前記第１の放電灯点灯装置が、前記スレーブに設定されている第３の放電灯点灯装置に前記放電灯の点灯を指示する第２の指示ステップと、を備えることが望ましい。
【００２０】
この放電灯の駆動方法によれば、第２の放電灯点灯装置が、放電灯が点灯していないことを検知した場合に、マスターに設定された第１の放電灯点灯装置が、第３の放電灯点灯装置に放電灯の点灯を行わせる。このため、寿命や故障等によって放電灯が点灯しない場合でも、他の放電灯によって補うことが可能となる。
【００２１】
また、上述した放電灯点灯装置、プロジェクター及び放電灯の駆動方法が放電灯点灯装置に備えられたコンピューターを用いて構築されている場合には、上記形態及び上記適用例は、その機能を実現するためのプログラム、或いは当該プログラムを前記コンピューターで読み取り可能に記録した記録媒体等の態様で構成することも可能である。記録媒体としては、フレキシブルディスクやハードディスク、ＣＤやＤＶＤ等の光ディスク、光磁気ディスク、不揮発性の半導体メモリーを搭載したメモリーカードやＵＳＢメモリー、放電灯点灯装置の内部記憶装置（ＲＡＭやＲＯＭ等の半導体メモリー）等、前記コンピューターが読み取り可能な種々の媒体を利用することができる。
【図面の簡単な説明】
【００２２】
【図１】プロジェクターの概略構成を示すブロック図。
【図２】点灯装置の構成を示すブロック図。
【図３】オン操作時のマスター装置の動作を説明するためのフローチャート。
【図４】点灯開始後のマスター装置の動作を説明するためのフローチャート。
【図５】変形例に係るプロジェクターの概略構成を示すブロック図。
【図６】変形例に係るプロジェクターの概略構成を示すブロック図。
【発明を実施するための形態】
【００２３】
以下、光源から射出された光を変調して投写するプロジェクターについて説明する。
【００２４】
図１は、本実施形態のプロジェクターの概略構成を示すブロック図である。
図１に示すように、プロジェクター１は、画像投写部１０、制御装置２０、記憶部２１、入力操作部２２、画像情報入力部２３、画像処理部２４、電源回路２５、及び複数（本実施形態では、４つ）の点灯装置２６等を備えて構成されている。
【００２５】
画像投写部１０は、各点灯装置２６に接続された光源装置１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、各光源装置１１から射出された光を、液晶ライトバルブ１２Ｒ，１２Ｇ，１２Ｂで変調して画像を形成し、この画像を投写レンズ１３から投写して、外部のスクリーンＳＣ等に表示する。
【００２６】
４つの光源装置１１の各々は、放電灯１１ａと、反射鏡１１ｂとを備えている。放電灯１１ａは、超高圧水銀ランプやメタルハライドランプ等からなる高圧放電灯であり、石英ガラス等の透光性材料で覆われた空間内に、水銀、希ガス等を含むガスが封入されるとともに、一対の電極の先端部が対向配置されている。そして、この電極に駆動電流が供給されると、電極間にアーク放電が生じて放電灯１１ａが発光する。放電灯１１ａから発せられた光は、楕円面鏡や放物面鏡等からなる反射鏡１１ｂで反射され、所定の方向に射出される。なお、本実施形態において、４つの光源装置１１のうちの１つは、いずれかの放電灯１１ａが寿命に達したり、故障したりした際の予備として備えられているものであり、画像を投写する際には、３つの光源装置１１の点灯によって画像が形成される。また、放電灯１１ａが寿命に達したり、故障したりした際に、新しい光源装置１１と交換ができるように、光源装置１１は、プロジェクター１に対して着脱が自在な構成になっている。
【００２７】
４つの光源装置１１のうち３つの光源装置１１から射出された光は、合成光学系（図示せず）によって合成された後、インテグレーター光学系（図示せず）によって輝度分布が略均一な光に変換される。そして、色分離光学系（図示せず）によって、光の３原色である赤色（Ｒ）、緑色（Ｇ）、青色（Ｂ）の各色光成分に分離された後に、それぞれ液晶ライトバルブ１２Ｒ，１２Ｇ，１２Ｂに入射する。
【００２８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３から拡大投写される。
【００２９】
制御装置２０は、図示しないＣＰＵ（Central Processing Unit）や、各種データ等の一時記憶に用いられるＲＡＭ（Random Access Memory）等を備え、記憶部２１に記憶されている制御プログラムに従って動作することによりプロジェクター１の動作を統括制御する。
【００３０】
記憶部２１は、マスクＲＯＭ（Read Only Memory）やフラッシュメモリー等の不揮発性のメモリーにより構成されている。記憶部２１には、プロジェクター１の動作を制御するための制御プログラムや、プロジェクター１の動作条件等を規定する各種設定データ等が記憶されている。
【００３１】
入力操作部２２は、ユーザーからの入力操作を受け付けるものであり、電源のオン・オフを切り替えるための電源キー等、ユーザーがプロジェクター１に対して各種指示を行うための複数の操作キーを備えている。ユーザーが入力操作部２２の各種操作キーを操作すると、入力操作部２２は、この入力操作を受け付けて、ユーザーの操作内容に応じた操作信号を制御装置２０に出力する。なお、入力操作部２２として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御装置２０に伝達する。
【００３２】
画像情報入力部２３は、図示しない入力端子を備えており、この入力端子には、ビデオ再生装置やパーソナルコンピューター等、外部の画像出力装置から出力される画像情報が入力される。画像情報入力部２３に入力された画像情報は、画像処理部２４に供給される。
【００３３】
画像処理部２４は、画像情報入力部２３から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。また、画像処理部２４は、制御装置２０の指示に基づき、変換した画像情報に対して、明るさ、コントラスト、シャープネス、色合い等を調整するための画質調整処理や、メニュー画像やメッセージ画像等のＯＳＤ（オンスクリーンディスプレー）画像を重畳表示するためのＯＳＤ処理等を行い、処理後の画像情報をライトバルブ駆動部１４に出力する。
【００３４】
ライトバルブ駆動部１４が、画像処理部２４から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３５】
電源回路２５には、ＡＣ１００Ｖ等の商用電源が外部から供給される。電源回路２５は、商用電源から供給される交流電力を所定の電圧の直流電力に変換して、プロジェクター１の各部に供給する（供給経路については図示せず）。また、電源回路２５は、制御装置２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３６】
４つの点灯装置２６（第１〜第４の点灯装置２６ａ〜２６ｄ）には、それぞれ光源装置１１が接続されている。点灯装置２６は、放電灯点灯装置に相当するものであり、光源装置１１の放電灯１１ａに駆動電流を供給して光源装置１１（放電灯１１ａ）を点灯させる。ここで、第１の点灯装置２６ａは、制御装置２０に接続されるとともに、第２の点灯装置２６ｂに接続されている。また、第２の点灯装置２６ｂは、第１の点灯装置２６ａと第３の点灯装置２６ｃとに接続され、第３の点灯装置２６ｃは、第２の点灯装置２６ｂと第４の点灯装置２６ｄとに接続されている。なお、本実施形態では、第１〜第４の点灯装置２６ａ〜２６ｄのハードウェア構成は、すべて同一である。
【００３７】
図２は、点灯装置２６の構成を示すブロック図である。
図２に示すように、点灯装置２６は、点灯駆動部３０と、制御部としての制御回路３４と、通信部としてのインターフェイス部３５とを備えて構成されており、点灯駆動部３０には、光源装置１１が接続されている。
【００３８】
点灯駆動部３０は、ダウンチョッパー３１、インバーター３２、及びイグナイター３３を備えており、光源装置１１（放電灯１１ａ）に駆動電力を供給して、光源装置１１を点灯させる。
【００３９】
ダウンチョッパー３１は、電源回路２５から供給される直流の電力を、チョッパー処理によって電圧を降下させてインバーター３２に出力する。ダウンチョッパー３１は、例えば、環流ダイオードや平滑用のコイル、トランジスター等のスイッチング素子（いずれも図示せず）を備えて構成することが可能であり、スイッチング素子のオンとオフとを繰り返すことによって電圧を降下させる。なお、ダウンチョッパー３１の出力端には、直列に接続された２つの抵抗Ｒ１，Ｒ２がダウンチョッパー３１に対して並列に接続されており、抵抗Ｒ１と抵抗Ｒ２との接続点の電位がダウンチョッパー３１の出力電圧（ランプ電圧）に対応する電圧値として検出されて制御回路３４に出力される。また、ダウンチョッパー３１の負極側の出力端には、抵抗Ｒ３が直列に接続されており、抵抗Ｒ３の出力側の電圧値がダウンチョッパー３１の出力電流（ランプ電流）に対応する電圧値として検出されて制御回路３４に出力される。
【００４０】
インバーター３２は、例えば、フルブリッジ接続された４つのスイッチング素子等によって構成され、ダウンチョッパー３１から供給される直流電流を交流矩形波電流に変換し、イグナイター３３を経由して光源装置１１に出力する。
【００４１】
イグナイター３３は、例えば、イグナイタートランス及びその駆動回路から構成されており、点灯開始時に高電圧パルス（イグニッションパルス）を発生させて光源装置１１（放電灯１１ａ）に印加する。この点灯動作（高電圧パルスの印加）により、放電灯１１ａの電極間の絶縁が破壊されて放電経路が作られ、光源装置１１の点灯が開始する。そして、点灯が開始した後には、インバーター３２から出力される交流矩形波電流が、イグナイター３３を経由して光源装置１１に供給され、光源装置１１の点灯が維持される。
【００４２】
制御回路３４は、例えば、マイクロプロセッサー及びメモリー等によって構成されるコンピューターを含んでおり、メモリーに記憶されている制御プログラムに従って、点灯駆動部３０の動作を制御する。具体的には、制御回路３４は、ダウンチョッパー３１の出力電圧及び出力電流の検出値に基づいて、ダウンチョッパー３１の出力電力が略一定になるように、ダウンチョッパー３１の出力電流を制御する。
【００４３】
さらに、制御回路３４は、光源装置１１が消費するランプ電流に基づいて、光源装置１１の点灯状態を検知可能となっており、点灯状態検知部としても機能する。つまり、制御回路３４は、イグナイター３３の始動動作によって光源装置１１が正常に点灯を開始したか否かを検知することができるとともに、点灯が正常に開始した後に寿命や故障等により点灯が途絶えた場合にもこれを検知することができる。なお、点灯状態検知部の態様としては、これに限定されず、例えば、光センサーによって点灯の有無を検知してもよいし、光源装置１１の温度を検出し、この検出結果に基づいて点灯状態を検知するようにしてもよい。
【００４４】
ここで、イグナイター３３が点灯動作を所定の時間続けたにも拘わらず、光源装置１１が点灯しない場合には、イグナイター３３は、再度点灯動作を行い、これを光源装置１１が点灯するまで繰り返す。そして、点灯動作を所定の回数繰り返しても光源装置１１が点灯しない場合には、イグナイター３３は、それ以上の点灯動作を行わない。なお、本明細書では、１回の点灯動作で光源装置１１が点灯しなかった場合のことを「不点灯」と呼ぶ。また、点灯動作を所定の回数繰り返しても点灯しなかった場合のことを「（点灯）失敗」と呼び、所定の回数以下の点灯動作で光源装置１１が点灯した場合のことを「（点灯）成功」と呼ぶ。
【００４５】
インターフェイス部３５は、例えば、ＵＡＲＴ（Universal Asynchronous Receiver Transmitter）等のインターフェイス回路で構成される。インターフェイス部３５は、通信部に相当するものであり、制御回路３４の制御に基づいて、外部の装置（制御装置２０又は他の点灯装置２６）との間で情報の入出力（通信）を行う。具体的には、図１に示したように、第１の点灯装置２６ａのインターフェイス部３５には、制御装置２０及び第２の点灯装置２６ｂが接続され、第２の点灯装置２６ｂのインターフェイス部３５には、第１及び第３の点灯装置２６ａ，２６ｃが接続されている。また、第３の点灯装置２６ｃのインターフェイス部３５には、第２及び第４の点灯装置２６ｂ，２６ｄが接続され、第４の点灯装置２６ｄのインターフェイス部３５には、第３の点灯装置２６ｃが接続されている。
【００４６】
次に、プロジェクター１の動作について説明する。
プロジェクター１に商用電源が供給されると、電源回路２５は、少なくとも制御装置２０、記憶部２１、入力操作部２２に待機電力（スタンバイ電力）の供給を行い、制御装置２０は、この電力供給を受けて、制御プログラムに従った動作を開始する。商用電源が供給された直後には、プロジェクター１は、スタンバイ状態であり、光源装置１１を消灯させた状態を維持している。そして、入力操作部２２の電源キーの操作（オン操作）がユーザーによってなされると、制御装置２０は、電源回路２５に指示をして各部への動作電力の供給を開始させ、プロジェクター１を電源オン状態に移行させる。
【００４７】
ユーザーによりオン操作がなされて、プロジェクター１が電源オン状態に移行すると、制御装置２０は、第１の点灯装置２６ａに制御信号を出力し、マスター装置として動作するように指示（設定）をする。マスター装置（単に「マスター」とも呼ぶ。）とは、インターフェイス部３５を介した通信によって他の点灯装置２６の動作を制御するものであり、第１の点灯装置２６ａの制御回路３４は、この指示に応じて、マスター装置としての動作を開始する。なお、後述するように、マスター装置以外の点灯装置２６は、スレーブ装置（単に「スレーブ」とも呼ぶ。）に設定され、マスター装置の制御に基づいて動作する。
【００４８】
図３は、オン操作時のマスター装置の動作を説明するためのフローチャートである。
図３に示すように、マスター装置としての動作を開始した第１の点灯装置２６ａの制御回路３４は、まず、他の点灯装置２６に対してスレーブ装置として動作するように指示（設定）をする（ステップＳ１０１）。具体的には、第１の点灯装置２６ａの制御回路３４は、第２の点灯装置２６ｂに対して、スレーブ装置としての動作を指示する制御信号を出力する。第２の点灯装置２６ｂの制御回路３４は、この制御信号を受けると、スレーブ装置としての動作を開始するとともに、この制御信号を第３の点灯装置２６ｃに出力する。同様に、第３の点灯装置２６ｃの制御回路３４は、この制御信号を受けると、スレーブ装置としての動作を開始するとともに、この制御信号を第４の点灯装置２６ｄに出力する。そして、これにより、第４の点灯装置２６ｄの制御回路３４もスレーブ装置としての動作を開始する。なお、各点灯装置２６がマスター装置及びスレーブ装置のいずれに設定されたのかを示す情報（設定情報）は、制御回路３４のメモリーに記憶される。また、制御回路３４のメモリーには、マスター装置用の制御プログラムと、スレーブ装置用の制御プログラムの双方が予め記憶されており、制御回路３４は、設定情報に応じた制御プログラムに従って動作する。
【００４９】
その後、マスター装置である第１の点灯装置２６ａの制御回路３４は、各点灯装置２６に、それぞれを識別するためのアドレスを設定する（ステップＳ１０２）。例えば、第１の点灯装置２６ａの制御回路３４は、数字の列からなる所定のアドレスを自らに設定するとともに、自己のアドレスの次のアドレス、即ち自己のアドレスを１つインクリメントさせたアドレスを第２の点灯装置２６ｂに出力する。第２の点灯装置２６ｂの制御回路３４は、入力されたアドレスを自己のアドレスとして設定するとともに、自己のアドレスの次のアドレスを第３の点灯装置２６ｃに出力する。同様に、第３の点灯装置２６ｃの制御回路３４は、入力されたアドレスを自己のアドレスとして設定するとともに、自己のアドレスの次のアドレスを第４の点灯装置２６ｄに出力し、第４の点灯装置２６ｄの制御回路３４は、入力されたアドレスを自己のアドレスとして設定する。設定されたアドレスは、それぞれの制御回路３４のメモリーに記憶される。なお、点灯装置２６のアドレスは、本実施形態のように、オン操作の後に決定される態様に限定されず、予め（プロジェクター１の製造段階で）各点灯装置２６にアドレスを設定しておく態様（制御回路３４のメモリーに書き込んでおく態様）にしてもよい。
【００５０】
これ以降、マスター装置である第１の点灯装置２６ａの制御回路３４は、アドレスを指定することによって、スレーブ装置である他の点灯装置２６を個別に制御することができる。具体的には、第１の点灯装置２６ａの制御回路３４は、制御対象の点灯装置２６のアドレスを付加した制御信号を第２の点灯装置２６ｂに出力する。第２の点灯装置２６ｂの制御回路３４は、第１の点灯装置２６ａからこの制御信号が入力されると、制御信号に付加されているアドレスが自己のアドレスである場合に、この制御信号に応じた動作を行い、自己のアドレスでない場合には、入力された制御信号を第３の点灯装置２６ｃに出力する。そして、第３の点灯装置２６ｃ及び第４の点灯装置２６ｄについても同様に動作する。つまり、スレーブ装置の制御回路３４は、上流側の点灯装置２６から入力される制御信号に自己のアドレスが付加されている場合に、この制御信号に応じた動作を行い、自己のアドレスが付加されていない場合には、入力された制御信号を下流側のスレーブ装置に出力する。
【００５１】
また、第１の点灯装置２６ａの制御回路３４は、スレーブ装置である他の点灯装置２６から、制御信号に対する応答や、点灯状態の検知結果等の情報を取得することができる。スレーブ装置から出力されたこれらの情報は、その上流側のスレーブ装置を経由してマスター装置である第１の点灯装置２６ａに伝達される。
【００５２】
各点灯装置２６のアドレスの設定が済むと、マスター装置である第１の点灯装置２６ａの制御回路３４は、制御装置２０によって点灯開始の指示がなされたか否かを判断し（ステップＳ１０３）、指示があるまで待機する（ステップＳ１０３：Ｎｏ）。そして、制御装置２０から点灯開始の指示を受けると（ステップＳ１０３：Ｙｅｓ）、第１の点灯装置２６ａの制御回路３４は、各点灯装置２６に光源装置１１の点灯を開始させる処理（点灯開始処理）を行う。
【００５３】
上述したように、本実施形態では、４つの光源装置１１のうちの３つを点灯させて画像を形成するようになっているため、第１の点灯装置２６ａの制御回路３４は、まず、４つの点灯装置２６の中から３つの点灯装置２６を選択し（ステップＳ１０４）、これら３つの点灯装置２６に光源装置１１の点灯を指示する（ステップＳ１０５）。例えば、第１の点灯装置２６ａの制御回路３４は、自己に接続されている光源装置１１を点灯させるとともに、第２及び第３の点灯装置２６ｂ，２６ｃのアドレスを指定して点灯を指示する。第２及び第３の点灯装置２６ｂ，２６ｃの制御回路３４は、第１の点灯装置２６ａからこの指示を受けると、それぞれに接続されている光源装置１１を点灯駆動部３０に点灯させ、その後で、それぞれの点灯結果、即ち点灯が成功した否かの検知結果を第１の点灯装置２６ａに出力する。
【００５４】
マスター装置である第１の点灯装置２６ａの制御回路３４は、自己を含む３つの点灯装置２６の点灯結果に基づいて、３つの光源装置１１のすべてにおいて点灯が成功したか否かを判断する（ステップＳ１０６）。そして、すべての点灯が成功した場合（ステップＳ１０６：Ｙｅｓ）には、第１の点灯装置２６ａの制御回路３４は、その旨を制御装置２０に通知して（ステップＳ１０７）、点灯開始処理を終了する。その後、制御装置２０は、画像投写部１０による画像の形成及び投写を開始する。一方、いずれか１つの光源装置１１の点灯が失敗した場合（ステップＳ１０６：Ｎｏ）には、第１の点灯装置２６ａの制御回路３４は、第４の点灯装置２６ｄのアドレスを指定して、予備の光源装置１１の点灯を指示する（ステップＳ１０８）。
【００５５】
その後、第１の点灯装置２６ａの制御回路３４は、第４の点灯装置２６ｄから点灯結果を取得して、点灯が成功したか否かを判断する（ステップＳ１０９）。そして、点灯が成功した場合（ステップＳ１０９：Ｙｅｓ）には、点灯に失敗した光源装置１１が１つある旨を制御装置２０に通知して（ステップＳ１１０）、点灯開始処理を終了する。また、第４の点灯装置２６ｄによる点灯が失敗した場合（ステップＳ１０９：Ｎｏ）には、点灯に失敗した光源装置１１が複数あって、点灯可能な光源装置１１が３つに満たない旨を制御装置２０に通知して（ステップＳ１１１）、点灯開始処理を終了する。その後、制御装置２０は、通知された内容に応じたメッセージをＯＳＤ画像等によってユーザーに報知する。
【００５６】
図４は、点灯開始後のマスター装置の動作を説明するためのフローチャートである。
点灯開始処理が完了し、画像の投写が開始された後も、光源装置１１を点灯させている３つの点灯装置２６は、定期的、或いは不定期で点灯状態の検知を繰り返し、検知結果を第１の点灯装置２６ａに通知する。第１の点灯装置２６ａの制御回路３４は、この検知結果に基づき、寿命や故障等によって点灯が途絶えた光源装置１１がないか判断する（ステップＳ２０１）。そして、いずれか１つの光源装置１１の点灯が途絶えた場合（ステップＳ２０１：Ｙｅｓ）には、第１の点灯装置２６ａの制御回路３４は、予備の光源装置１１（第４の点灯装置２６ｄ）が既に使用済みであるか否かを判断し（ステップＳ２０２）、既に使用済みである場合（ステップＳ２０２：Ｙｅｓ）には、点灯可能な光源装置１１が３つに満たなくなった旨を制御装置２０に通知して（ステップＳ２０６）、処理を終了する。一方、予備の光源装置１１が使用済みでない場合（ステップＳ２０２：Ｎｏ）には、第１の点灯装置２６ａの制御回路３４は、第４の点灯装置２６ｄのアドレスを指定して、予備の光源装置１１の点灯を開始させる（ステップＳ２０３）。
【００５７】
その後、第１の点灯装置２６ａの制御回路３４は、第４の点灯装置２６ｄから点灯結果を取得して、点灯が成功したか否かを判断する（ステップＳ２０４）。そして、点灯が成功した場合（ステップＳ２０４：Ｙｅｓ）には、光源装置１１の点灯が途絶えた旨を制御装置２０に通知して（ステップＳ２０５）、光源装置１１の監視を継続する（ステップＳ２０１）。一方、予備の光源装置１１の点灯が失敗した場合（ステップＳ２０４：Ｎｏ）には、第１の点灯装置２６ａの制御回路３４は、点灯可能な光源装置１１が３つに満たなくなった旨を制御装置２０に通知して（ステップＳ２０６）、処理を終了する。その後、制御装置２０は、第１の点灯装置２６ａから受けた通知に基づき、光源装置１１を交換すべきである旨をＯＳＤ画像等によってユーザーに報知する。
【００５８】
以上説明したように、本実施形態の点灯装置２６及びプロジェクター１によれば、以下の効果を得ることができる。
【００５９】
（１）本実施形態の点灯装置２６及びプロジェクター１によれば、マスター装置に設定された第１の点灯装置２６ａの制御回路３４は、スレーブ装置に設定された他の点灯装置２６の動作を制御するため、マスター装置が制御装置２０の動作の一部を代行することになり、制御装置２０の負荷を軽減することが可能となる。
【００６０】
（２）本実施形態の点灯装置２６及びプロジェクター１によれば、点灯開始時に光源装置１１が点灯しなかったり、点灯開始後に光源装置１１の点灯が途絶えたりした場合に、マスターに設定された第１の点灯装置２６ａが、第４の点灯装置２６ｄに予備の光源装置１１の点灯を行わせる。このため、寿命や故障等によって光源装置１１が点灯しなかったり、点灯が途絶えたりした場合でも、予備の光源装置１１で補うことにより、プロジェクター１の使用を継続することが可能となる。
【００６１】
なお、本実施形態では、マスター装置及びスレーブ装置のいずれに設定されたのかを示す設定情報が制御回路３４のメモリーに記憶されるようになっており、制御回路３４は、この設定情報に基づいて、マスター装置又はスレーブ装置として動作するため、制御回路３４のメモリーが、動作設定部に相当する。また、第１の点灯装置２６ａが自己を含む３つの点灯装置２６に光源装置１１の点灯を指示するステップＳ１０５が、第１の指示ステップに相当し、３つの光源装置１１のすべてにおいて点灯が成功したか否かを判断するステップＳ１０６が、判断ステップに相当し、いずれか１つの光源装置１１の点灯が失敗した場合に、第１の点灯装置２６ａが第４の点灯装置２６ｄに予備の光源装置１１の点灯を指示するステップＳ１０８が、第２の指示ステップに相当する。
【００６２】
（変形例）
また、上記実施形態は、以下のように変更してもよい。
【００６３】
上記実施形態では、制御装置２０によってマスター装置の設定が行われ、マスター装置によってスレーブ装置の設定が行われるとともに、設定情報がそれぞれの制御回路３４のメモリーに記憶されるようになっているが、マスター装置とスレーブ装置の設定方法は上記に限定されない。例えば、スイッチやジャンパーピンのように、マスター装置とスレーブ装置とを選択するための物理的な設定手段（回路）を備えるようにして、プロジェクター１の製造段階にてマスター装置とスレーブ装置の設定を行うようにしてもよい。
【００６４】
上記実施形態において、各点灯装置２６の制御回路３４が、点灯動作時に不点灯となった累積回数や、点灯時におけるランプ電圧の推移等を、履歴情報として自己のメモリーに記憶しておくようにしてもよい。そして、マスター装置が、点灯させるべき３つの光源装置１１を選択する際には、各スレーブ装置から履歴情報を収集して、この履歴情報に基づいて点灯装置２６を選択するようにしてもよい。これによれば、マスター装置は、例えば、不点灯の累積回数が少ない光源装置１１、即ち点灯性が良好な光源装置１１を優先的に選択することが可能になる。
【００６５】
上記実施形態では、プロジェクター１が光源装置１１を４つ備えており、そのうちの１つを予備として利用する態様を示しているが、光源装置１１の数は４つに限定されず、５つ以上や３つ以下であってもよい。また、予備の光源装置１１を２つ以上備える構成にすることも可能である。
【００６６】
上記実施形態では、点灯開始時において点灯が失敗したり、寿命や故障等により点灯が途絶えたりしたことを検知して、予備の光源装置１１を点灯させる態様を示したが、この態様に限定されない。例えば、投写する画像の内容（コンテンツ）や周辺の明るさ等に応じて、使用する（点灯させる）光源装置１１の数を増減させて、投写する画像の明るさを可変とする態様に適用することもできる。
また、点灯している複数の光源装置１１の明るさを検知する検知手段を備えるとともに、その検知手段の検知結果に基づいて、マスター装置が各光源装置１１に供給する電力を調整（制御）することにより、各光源装置１１の明るさを均一にするようにしてもよい。
【００６７】
上記実施形態において、点灯装置２６の接続形態は、図１に示した形態に限定されず、様々な形態が可能である。
例えば、図５に示す形態では、各点灯装置２６は、ネットワークＮＷを介して互いに接続されている。このような形態であっても、マスター装置である第１の点灯装置２６ａは、アドレスを指定することによってスレーブ装置を個別に制御することができる。
また、図６に示す形態では、制御装置２０は、第１の点灯装置２６ａと直接接続されておらず、ネットワークＮＷを介してすべての点灯装置２６に接続されている。このような形態では、マスター装置がいずれかの点灯装置２６に限定されることがなくなり、制御装置２０は、上述した履歴情報等に基づいて、任意の点灯装置２６をマスター装置に設定することが可能となる。
【００６８】
上記実施形態では、光変調装置として３つの液晶ライトバルブ１２Ｒ，１２Ｇ，１２Ｂを用いた３板式のプロジェクター１について説明したが、プロジェクター１の形態は、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００６９】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００７０】
１…プロジェクター、１０…画像投写部、１１…光源装置、１１ａ…放電灯、１１ｂ…反射鏡、１２Ｒ，１２Ｇ，１２Ｂ…液晶ライトバルブ、１３…投写レンズ、１４…ライトバルブ駆動部、２０…制御装置、２１…記憶部、２２…入力操作部、２３…画像情報入力部、２４…画像処理部、２５…電源回路、２６…点灯装置、２６ａ…第１の点灯装置、２６ｂ…第２の点灯装置、２６ｃ…第３の点灯装置、２６ｄ…第４の点灯装置、３０…点灯駆動部、３１…ダウンチョッパー、３２…インバーター、３３…イグナイター、３４…制御回路、３５…インターフェイス部、ＮＷ…ネットワーク、ＳＣ…スクリーン。
【図１】
2011090872.tif 000003
【図２】
2011090872.tif 000004
【図３】
2011090872.tif 000005
【図４】
2011090872.tif 000006
【図５】
2011090872.tif 000007
【図６】
2011090872.tif 000008